(57)【要約】【課題】  耐侯性で取り付けと位置合わせの簡単な、衛星通信用パラボラアンテナに受信／送信ホーンを取り付けるための装置を提供する。【解決手段】  衛星通信用パラボラアンテナ２６に受信／送信ホーン１１を取り付けるための装置は、ホーン１１を支持し、且つ、同軸ケーブルコネクタ１５と低雑音ブロックコンバータとを雨、雪、風及び日光から守るためのケーシング１２を有する。ケーシング１２にはケーシング軸線１８に対して或る角度をなして構成された段差部１４が設けられる。段差部１４は耐侯性を有する態様で給電アーム１９に差し込まれる。給電アーム１９の長手軸線１７ａは衛星通信用パラボラアンテナ２６の軸線２７から偏位している。ケーシング１２、給電アーム１９及びホーン１１の支持体２５の寸法と角度は、ホーン１１が衛星通信用パラボラアンテナ２６の焦点に最適に位置付けされるように決められる。【選択図】      図１
2004153863.tif 000002
【特許請求の範囲】
【請求項１】
衛星通信用パラボラアンテナに受信／送信ホーンを取り付ける装置であって、
前記ホーンを支持する耐侯性のケーシングと、
前記ケーシング内に配置され且つ少なくとも１つの同軸ケーブルコネクタを前記ホーンに接続する低雑音ブロックコンバータと、を備え、
前記ケーシングは、該ケーシングの長手軸線に対し角度αをなして設けられる部分を含み、前記少なくとも１つの同軸ケーブルコネクタは、前記部分を通過し、前記部分は、耐侯性の給電アームと耐侯性を呈する態様で結合するように選択された寸法を有する、前記装置。
【発明の詳細な説明】
【技術分野】
【０００１】
この発明は、一般的に言えばテレビジョン及びその他の通信機器用の衛星放送及び通信用のディッシュ（放物面反射器、この明細書中ではパラボラアンテナという）に、具体的にはこのようなパラボラアンテナに受信／送信ホーンを取り付けるための装置に関するものである。
【背景技術】
【０００２】
テレビジョンの衛星放送用パラボラアンテナ及びその他の形式の受信／送信用パラボラアンテナ（この明細書中では衛星放送用及び衛星通信用のパラボラアンテナを一括して衛星通信用パラボラアンテナという）は、屋外で自然環境にさらされているため、湿気、雨、雪、風、日光やその他の環境的なストレス（ｓｔｒｅｓｓ）を受ける。これらのストレスは電子機器に悪影響を及ぼすため、電子部品及び同軸ケーブルが雪や雨にさらされないようにし、且つ、風を受けても衛星通信用パラボラアンテナに対して受信／送信ホーンの物理的な位置が変わらないようにホーンを物理的に動かないようにしておく必要がある。この発明は、このような必要条件を満たし得るだけでなく、パラボラアンテナに対してホーンの取り付けが容易であり、且つ、両者の位置合わせが自動的にできるという別の利点も有するものである。
【発明の開示】
【０００３】
衛星通信用パラボラアンテナに受信／送信ホーンを取り付けるための装置は、このホーン（ｈｏｒｎ）を支持する実質的に耐侯性のケーシング（ｃａｓｉｎｇ）を有している。このケーシングの内部には、低雑音ブロックコンバータ（ＬＮＢ：Ｌｏｗ  Ｎｏｉｓｅ  Ｂｌｏｃｋ  ｃｏｎｖｅｒｔｅｒ）がホーンと同軸ケーブルコネクタを接続するように配置されている。このケーシングには、ケーシング軸に対して角度α（アルファ）をなすように形成された、ケーシング本体より細身の、段差部が設けられている。この段差部内を同軸ケーブルコネクタが貫通しており、この同軸ケーブルコネクタは絶縁性の保持具（ｒｅｔａｉｎｅｒ：固定具）によって動かないように段差部内に固定されている。実質的に耐侯性の給電アームがあって、このアームは実質的に耐侯性を与える態様で（日光や湿気、風雨にさらされないように）上記の段差部を受け入れるように選択された内部寸法形状を有している。給電アーム内には同軸ケーブルが摺動可能に支持されており、同軸ケーブルコネクタに接続されている。以上のような装置はフランジにより衛星通信用パラボラアンテナに取り付けられる。
【発明を実施するための最良の形態】
【０００４】
以下、図示の実施例について本発明を詳細に説明する。図１において、受信／送信ホーン１１が、低雑音ブロックコンバータ（ＬＮＢ）（図示せず）を内包している耐侯性ケーシング１２に取り付けられている。このＬＮＢは雄型同軸ケーブルコネクタ１５をホーン１１に接続している。ケーシング１２には段差部１４が設けられており、この段差部の外部寸法はケーシング１２の本体部分の外部寸法よりもわずかに小さくされている。雄型同軸ケーブルコネクタ１５は、段差部１４から外の方に突出している。同軸コネクタ１５は絶縁性保持具１６によって段差部１４内に動かないように保持されており、従って同軸コネクタが接続されているＬＮＢも絶縁性保持具１６によってこの段差部１４内に動かないように固定されている。この構造によって、ケーシング１２を給電アーム１９と結合した時にＬＮＢが損傷を受けるおそれがなくなる。段差部１４の長手軸線１７は、耐侯性ケーシング１２の長手軸線１８に対して角度αをなしている。支持体２５がケーシング１２に対して垂直にのびており、ホーン１１をケーシングに固定している。
【０００５】
給電アーム１９の内部寸法は、実質的に耐侯性を与えるような態様で（日光や湿気、風雨にさらされないように）給電アームが段差部１４を受け入れるように選択されているが、必要な場合はシールを使用することも出来る。同軸ケーブル１３は給電アーム１９の内部に摺動可能に配列されているが、給電アームの４つの側面に対して横方向に動かないようにされている。同軸ケーブル１３の終端部は、雄型コネクタ１５と螺合する雌型同軸コネクタ２１である。同軸ケーブル１３は給電アーム１９の内部では摺動可能であるため、ケーシング１２内に収容されている電子部品に何ら物理的ストレスを与えることなく段差部１４を給電アーム１９の端部にはめ込むことが出来る。
【０００６】
給電アーム１９のもう一方の端部にはフランジ２４が固定的に取り付けられている。フランジ２４は衛星通信用パラボラアンテナ２６の外表面と同じ放物状の形状及び寸法を有している。給電アーム１９はパラボラアンテナ２６内にある開口部を貫通している。給電アーム１９の側面の長手軸線１７ａは、段差部１４の長手軸線１７と一致しているが、パラボラアンテナ２６の軸線２７からは偏位している。この結果、給電アーム１９を直線状にすることができ、そのため同軸ケーブル１３を給電アーム内に通しやすくなり、更に、給電アームの製造コストが安くなるという利点が生じる。給電アーム１９、ケーシング１２及び支持体２５の寸法と角度αとは、ホーン１１が衛星通信用パラボラアンテナ２６の焦点に適正に位置づけされるように決められる。段差部１４及び給電アーム１９の横断面の形状は図示のように矩形であることが好ましいが、製造の容易さやコスト的に有利であるという理由で異なる形状にするべき場合は、少なくとも１つの平坦面を有するような形状を選定して、風や温度変化の影響及びその他の環境的な影響によってこれら２つの部材が相互移動する可能性をできるだけ小さくしなくてはならない。
【０００７】
段差部１４と給電アーム１９には、それぞれ、開孔２０ａ及び２０ｂが設けられている。これらの開孔２０ａ及び２０ｂは、２つの部材１４及び１９を結合したときに互いに整合した位置にくるようにそれぞれの部材上で位置決めされている。開孔２０ａ及び２０ｂには、段差部１４と給電アーム１９を互いに機械的に保持するように開孔２０ａ及び２０ｂに合った特殊ナット２２とネジ２３が通されている。開孔２０ａ及び２０ｂとナット２２とは、ナット２２がこれらの開孔内で回転しないように少なくとも１つの平坦な側面を有する形状にされていることが好ましい。
【０００８】
特許請求の範囲に記載された事項と実施例との対応関係を、図面で使われている参照符号で示すと次の通りである。
（請求項１）衛星通信用パラボラアンテナに受信／送信ホーン（１１）を取り付ける装置であって、
前記ホーンを支持する耐侯性のケーシング（１２）と、
前記ケーシング内に配置され且つ少なくとも１つの同軸ケーブルコネクタ（１５）を前記ホーンに接続する低雑音ブロックコンバータ（ＬＮＢ）と、を備え、
前記ケーシングは、該ケーシングの長手軸線に対し角度αをなして設けられる部分（１４）を含み、前記少なくとも１つの同軸ケーブルコネクタは、前記部分を通過し、前記部分は、耐侯性の給電アーム（１９）と耐侯性を呈する態様で結合するように選択された寸法を有する、前記装置。
【図面の簡単な説明】
【０００９】
【図１】推奨実施例を示す図である。
【符号の説明】
【００１０】
１１          ホーン
１２          耐侯性ケーシング
１４          段差部
１５、２１    雄型及び雌型の同軸ケーブルコネクタ
１６          絶縁性保持具
１９          給電アーム
２５          支持体
２６          パラボラアンテナ
【図１】
2004153863.tif 000003